(57)【特許請求の範囲】
【請求項１】
移動局に関する位置決めサービスの品質の表示を提供するための方法、前記方法は下記を具備する:
必要とされる位置決めサービスの品質，ＬＱｏＳ，パラメータを捕捉すること；
実際のＬＱｏＳ値を決定すること；
前記実際のＬＱｏＳ値が前記必要とされるＬＱｏＳパラメータを満足するかどうかを決定すること；及び
前記実際のＬＱｏＳ値が前記必要とされるＬＱｏＳパラメータを満足しないのであれば、位置決めサービスが前記移動局に対して利用できないことの表示を提供すること；
前記実際のＬＱｏＳ値が前記必要とされるＬＱｏＳパラメータを満足するのであれば、実際の所在地精度値を推定すること、前記実際の所在地精度値の推定値に基づいて所在地精度の相対強度測定値を計算すること、及び所在地精度の前記相対強度測定値の表示を提供すること。
【請求項２】
位置決めサービスが利用できないことの表示を提供することは、位置決めサービスが利用できないことの視覚標識を表示することをさらに具備する、請求項１の方法。
【請求項３】
前記必要とされるＬＱｏＳパラメータは、最小所在地精度値、最大応答時間の値、及び所在地情報値の最大経過時間を含む複数の必要とされるＬＱｏＳパラメータのうちの１つを具備する、請求項１の方法。
【請求項４】
所在地精度の前記相対強度測定値の表示を提供することは、所在地精度の前記相対強度測定値の視覚標識を表示することをさらに具備する、請求項１の方法。
【請求項５】
所在地精度の前記相対強度測定値の前記視覚標識は、所在地精度の前記相対強度測定値のグラフ表示を含む、請求項４の方法。
【請求項６】
前記捕捉された必要とされるＬＱｏＳパラメータは、前記移動局のユーザによって規定される、請求項１の方法。
【請求項７】
前記捕捉された必要とされるＬＱｏＳパラメータは、前記移動局から捕捉される、請求項１の方法。
【請求項８】
前記捕捉された必要とされるＬＱｏＳパラメータは、用途特定である、請求項１の方法。
【請求項９】
前記捕捉された必要とされるＬＱｏＳパラメータは、遠隔構成要素により規定される、請求項１の方法。
【請求項１０】
前記遠隔構成要素は、サーバである、請求項９の方法。
【請求項１１】
前記遠隔構成要素は、所在地ネットワークの一部分である、請求項９の方法。
【請求項１２】
位置決めサービスの品質の表示を提供する移動局、前記移動局は下記を具備する：
複数の送信機から複数の信号を受信し、処理する受信機ユニット；及び
下記を行うために前記受信機ユニットに接続されたプロセッサ：
必要とされる位置決めサービスの品質，ＬＱｏＳ，パラメータを捕捉する；実際のＬＱｏＳ値を決定する；
前記実際のＬＱｏＳ値が前記必要とされるＬＱｏＳパラメータを満足するかどうかを決定する；及び
前記実際のＬＱｏＳ値が前記必要とされるＬＱｏＳパラメータを満足しなのであれば、前記プロセッサは位置決めサービスが前記移動局に対して利用できないことの表示を提供する、
前記実際のＬＱｏＳ値が前記必要とされる所在地ＬＱｏＳパラメータを満足すると前記プロセッサが決定するのであれば、前記プロセッサは、実際の所在地精度値を推定し、前記実際の所在地精度値の推定値に基づいて所在地精度の相対強度測定値を計算し、そして所在地精度の前記相対強度測定値の表示を提供する。
【請求項１３】
前記受信機ユニットによって受信された複数の信号のうちの１つは、前記必要とされるＬＱｏＳパラメータを含む、請求項１２の移動局。
【請求項１４】
前記受信機ユニットによって受信された複数の信号のうちの１つは、前記実際のＬＱｏＳ値を含む、請求項１２の移動局。
【請求項１５】
ディスプレイ装置、をさらに具備する、請求項１２の移動局であって、
ここで、前記実際のＬＱｏＳ値が前記必要とされるＬＱｏＳパラメータを満足しないのであれば、前記プロセッサは、位置決めサービスが利用できないことの視覚標識を表示するように前記ディスプレイ装置に指示する。
【請求項１６】
前記必要とされるＬＱｏＳパラメータは、最小所在地精度値、最大応答時間の値、及び所在地情報値の最大経過時間を含む複数の必要とされるＬＱｏＳパラメータのうちの１つを具備する、請求項１２の移動局。
【請求項１７】
ディスプレイ装置、をさらに具備する、請求項１２の移動局であって、
ここで、前記プロセッサは、所在地精度の前記相対強度測定値の視覚標識を表示するように前記ディスプレイ装置に指示する。
【請求項１８】
所在地精度の前記相対強度測定値の前記視覚標識は、所在地精度の前記相対強度測定値のグラフ表示を含む、請求項１７の移動局。
【請求項１９】
前記捕捉された必要とされるＬＱｏＳパラメータは、前記移動局のユーザによって規定される、請求項１２の移動局。
【請求項２０】
前記捕捉された必要とされるＬＱｏＳパラメータは、前記移動局のメモリ・ユニットから捕捉される、請求項１２の移動局。
【請求項２１】
前記捕捉された必要とされるＬＱｏＳパラメータは、用途特定である、請求項１２の移動局。
【請求項２２】
前記捕捉された必要とされるＬＱｏＳパラメータは、遠隔構成要素により規定され、送信機によって前記受信機ユニットに伝達される、請求項１２の移動局。
【請求項２３】
前記遠隔構成要素は、サーバである、請求項２２の移動局。
【請求項２４】
前記遠隔構成要素は、所在地ネットワークの一部分である、請求項２２の移動局。
【請求項２５】
装置が下記機械に接続されたときに、前記装置に組み込まれた命令に基づいて移動局に関する位置決めサービスの品質の表示を提供するための方法を実行する計算機械を制御するための装置、前記装置は下記を具備する：
前記装置が前記機械に接続されたときに、必要とされる位置決めサービスの品質，ＬＱｏＳ，パラメータを捕捉するように前記機械を制御するための手段；
前記装置が前記機械に接続されたときに、実際のＬＱｏＳ値を決定するように前記機械を制御するための手段；
前記装置が前記機械に接続されたときに、前記実際のＬＱｏＳ値が前記必要とされるＬＱｏＳパラメータを満足するかどうかを決定するように前記機械を制御するための手段；及び
前記装置が前記機械に接続されたときに、前記実際のＬＱｏＳ値が前記必要とされるＬＱｏＳパラメータを満足しないのであれば、位置決めサービスが前記移動局に対して利用できないことの表示を提供するように前記機械を制御するための手段；
前記装置が前記機械に接続されたときに、前記実際のＬＱｏＳ値が前記必要とされるＬＱｏＳパラメータを満足するのであれば、実際の所在地精度値を推定し、前記実際の所在地精度値の推定値に基づいて所在地精度の相対強度測定値を計算し、そして所在地精度の前記相対強度測定値の表示を提供するように前記機械を制御するための手段。
【請求項２６】
前記装置が前記機械に接続されたときに、位置決めサービスが利用できないことの視覚標識を表示するように前記機械を制御するための手段をさらに具備する、請求項２５の装置。
【請求項２７】
前記必要とされるＬＱｏＳパラメータは、最小所在地精度値、最大応答時間の値、及び所在地情報値の最大経過時間を含む複数の必要とされるＬＱｏＳパラメータのうちの少なくとも１つを具備する、請求項２５の装置。
【請求項２８】
前記装置が前記機械に接続されたときに、所在地精度の前記相対強度測定値の視覚標識を表示するように前記機械を制御するための手段をさらに具備する、請求項２７の装置。
【請求項２９】
所在地精度の前記相対強度測定値の前記視覚標識は、所在地精度の前記相対強度測定値のグラフ表示を含む、請求項２８の装置。
【発明の詳細な説明】
【技術分野】
【０００１】
本出願は、米国仮出願番号第６０／４４８，２９６号、２００３年２月１８日出願に優先権を主張する。
【０００２】
本発明の実施形態は、一般に、移動局に対する位置決めサービスの分野に係り、より詳しくは、移動局に対する位置決めサービス利用可能性の表示及び利用可能な位置決めサービスの品質を提供するための方法、装置及び機械読み取り可能な媒体に関する。
【背景技術】
【０００３】
移動体通信のためのワイアレス・ネットワークは、セルラ電話ネットワーク、ブロードバンド個人通信サービス（Personal Communication Service）（ＰＣＳ）、ワイアレス・ワイド・エリア・ネットワーク（wide-area network）（ＷＡＮ）、ワイアレス・ローカル・エリア・ネットワーク（local-area network）（ＬＡＮ）、衛星通信システム、及び双方向無線システム、のような例を含む。これらのネットワークは、電話機又は無線ハンドセットであり得る移動局、自動車ベースのトランシーバ、ワイアレス・データ・モデム、若しくはワイアレス・ローカル・ループ（wireless local loop）（ＷＬＬ）局のような半固定ユニットをさえ含む。複数のそのようなネットワークは、しかも、１若しくはそれより多くの基地局ユニット又はアクセス・ポイントを含むインフラストラクチャを有する。基地局ユニットの位置は、固定され、移動局及びおそらく相互に及び／又は外部ネットワークとも通信する。セルラ電話ネットワークでは、例えば、基地局ユニットは、移動局と公衆交換電話ネットワークとの間のインターフェースを提供し、認証、認可及び料金請求機能を実行するために登録者と通信し、そして、しかも通話管理及びハンドオフ機能を実行するために相互に情報交換をすることもできる。
【０００４】
移動体通信に関するある種のワイアレス・ネットワークは、特定の移動局の所在地を位置決めする能力を付加することにより増加される。連邦通信委員会規則（Federal Communications Commission regulation）（文書番号第９４−１０２、第３回報告書及び指示書、１９９９年９月１５日採択、１９９９年１０月６日公開）は、通話の６７％に対して５０ｍの範囲内で及び通話の９５％に対して１５０ｍの範囲内で９１１通話を行うハンドセット・ベースの技術を利用して、米国内の全てのセルラ保有者がセルラ電話機の所在地を位置決めできるようにすることを要求する。所在地位置決めサービスに関するその他の使用は、マッピング、経路の設定及びナビゲーション、及び自動車車両管理サポートのような価値を付加されたユーザの特色を含む。
【０００５】
所在地位置決めのための複数の異なるアプローチが、実施されることがある。例えば、地上波法、衛星位置把握システム（satellite positioning system）（ＳＰＳ）方法、及び地上波と衛星ベースの方法との混成が、利用される可能性がある。そのような衛星位置把握システムの１つは、周知の全地球位置把握システム（Global Positioning System）（ＧＰＳ）であり、それは、地球の軌道を回る２４個の適切な間隔で配置された衛星の“コンステレーション”である。ＧＰＳ衛星の正確な所在地は、複数の衛星自身により送信された情報の異なるセットから決定されることが可能である。セルラ通信システムのような、地上波システムは、信号を送信する既知の場所にある基地局を利用する。
【０００６】
信号が衛星又は基地局の送信機から移動局へ移動するために必要な時間の長さは、送信機と移動局との間の距離（又は飛程）を算出するために測定され、使用されることができる。これらの距離及び送信機の既知の位置から、移動局の位置は、決定されることが可能である。
【０００７】
米国電気通信産業協会（Telecommunication Industry Association）（ＴＩＡ）は、ワイアレス無線電話機サービス（Wireless Radiotelephone Service）における使用のための位置決めサービス拡大（Location Service Enhancement）の実行に関する推奨規格を公表している。（ＴＩＡ  ＴＲ−４５．２  ＰＮ−４７４７位置決めサービス拡大、２００２年１１月１８日、ＴＩＡ／ＥＩＡ／ＩＳ−８８１として発行予定）。ＴＩＡ位置決めサービス拡大規格は、システム間の運用を規定し、ワイアレス・ネットワークが拡大位置決めサービスを提供することを可能にする。
【０００８】
ＴＩＡ位置決めサービス拡大規格は、位置決めサービス（location service）（ＬＣＳ）クライアントが位置決めに関連したタスクに対して必要とされるサービスの品質（quality of service）（ＱｏＳ）を規定することを可能にするためのガイドラインを説明する。ＬＣＳクライアントは、構成要素として定義され、構成要素は、位置決めＱｏＳ（ＬＱｏＳ）パラメータのような、パラメータのセット内の１つ又はそれより多くの移動局に関する位置情報を取得する目的のためにワイアレス・ネットワークと情報交換する。ＴＩＡ位置決めサービス拡大規格は、しかも、ＬＱｏＳが満足できなった場合に起きることから位置決定を保護するための提案された方法も説明する。ＴＩＡ位置決めサービス拡大規格は、所在地推定値が必要とされるＬＱｏＳを満足しない場合に、所在地推定値がＬＣＳクライアントに報告されないことがあり得ることを、付加的に説明する。
【０００９】
ワイアレス・ネットワーク、ワイアレス・ネットワーク・オペレータ及び／又はサービス・プロバイダは、複数の異なるタイプの位置決めサービスを提供するために選択でき、そしてこれらのサービスをサポートするために種々の選択された技術を展開できる。不幸にして、移動局のユーザへの利用可能な位置決めサービスの品質を表示するための手段が現在のところない。事実、ユーザに対して位置決めサービスが利用可能であるかどうかでさえ表示するための手段が現在はない。それゆえ、ある種の位置決めサービスをサポートするための命令又は包括的な決定がない限り、異なるネットワークへ移動している移動体ユーザは、位置決めサービスが利用可能であるかどうか、そして行き先のネットワークによりサポートされているかどうかを知らない可能性があり、若しくは特定の地理的な場所と時間においてサポートされかつ利用可能である可能性がある位置決めサービスの品質を知らない可能性があり、自宅にいる又は行く先のワイアレス・ネットワーク内にいる可能性がある。
【００１０】
したがって、ローカル・サービス利用可能性の表示及び利用可能な位置決めサービスの品質を提供するための方法、装置、及び機械読み取り可能な媒体に対してこの技術においてニーズがある。
【発明の開示】
【００１１】
［サマリー］
移動局に対するローカル・サービス利用可能性の表示及び利用可能な位置決めサービスの品質を提供するための方法、装置、及び機械読み取り可能な媒体が、ここに説明される。必要とされるサービスの位置決め品質（ＬＱｏＳ）パラメータが、捕捉される。例えば、必要とされるＬＱｏＳパラメータは、最小の所在地、速度及び／又は時間精度の値、最大応答時間の値、最小又は最大情報更新レートの値、所在地情報値の最大経過時間、若しくは上記のパラメータ又はその他のパラメータの任意の組合せであることができる。実際のＬＱｏＳ値が、決定される。それから、実際のＬＱｏＳ値が必要とされるＬＱｏＳパラメータを満足するかどうかが決定される。実際のＬＱｏＳ値が必要とされるＬＱｏＳパラメータを満足しないのであれば、位置決めサービスが必要とされるＬＱｏＳに関して移動局に対して利用可能でないことを、表示は提供する。例えば、視覚標識が、移動局のディスプレイ装置上に表示されることができる。
【００１２】
実際のＬＱｏＳ値が必要とされるＬＱｏＳパラメータを満足させるのであれば、所在地精度のような実際のパラメータ値が、推定されることができる。さらに、実際の所在地精度値の推定値に基づいた所在地精度の相対強度測定値が、計算されることができ、所在地精度の相対強度測定値の表示が、提供されることができる。所在地精度の相対強度測定値の視覚標識は、移動局のディスプレイ装置上に表示されることができる。
【００１３】
［詳細な説明］
種々の具体例としての実施形態が、詳細に説明される。具体例の実施形態の全体的な理解を与えるために、多くの詳細が説明されるが、これらの具体的な詳細は、具体例の実施形態を実施するために必ずしも必要ではない。周知の方法、データのタイプ、プロトコル、手順、構成要素、電気的構造及び回路、のような詳細は、詳細には説明されない、若しくは具体例の実施形態を不明瞭にしないために、ブロック図の形式で示される。
【００１４】
図１は、ワイアレス通信ネットワーク１００の例を説明するブロック図である。位置を決定されようとしている移動局１０２は、複数の送信機１１０Ａ−Ｄ及び１１０Ｙ−Ｚから送信された信号を受信する。送信機１１０は、既知の位置又は確認され得る位置を有する送信機であることができる。送信機１１０は、送信機１１０Ａ−Ｄのような、衛星所在地決定システム（ＳＰＳ）の衛星を含むことが可能である。送信機１１０は、送信機１１０Ｙと１１０Ｚのような、地上波の地上ベースの送信機を含むことができる。この送信機は、基地局であり得る。移動局１０２は、衛星ベースの送信機の組合せ又は地上ベースの送信機の組合せ若しくは両者の組合せから信号を受信できる。送信機１１０Ｙと１１０Ｚのようなそれぞれの地上波地上ベースの送信機は、それぞれ移動体所在地センタ（ＭＰＣ）１２０Ａと１２０Ｂに接続されることができる。一般的に、送信機の少なくとも１のグループが、ＭＰＣに接続される。移動体所在地センタ１２０Ａと１２０Ｂは、ネットワークの構成要素へのインターフェース又はゲートウェイとして働く。そのネットワークは、所在地決定のために使用され、位置決めサービスを提供している。
【００１５】
移動局１０２は、基準時間に対して受信された信号の到着時間を決定する能力がある任意の装置であり得る。飛程、タイミング又は信号強度測定値を利用するその他のタイプの位置決め方法が、同様に使用されることができる。例えば、移動局１０２は、セルラ電話機、ワイアレス・モデムを有するコンピュータ端末、パーソナル・ディジタル・アシスタント、独立型ＳＰＳ受信機、若しくは地上ベースの送信機からの信号を受信する能力がある受信機である可能性がある。
【００１６】
位置決めサービス（ＬＣＳ）クライアント１０４は、移動局１０２の一部分として含まれているように示される。一般に、ＬＣＳクライアント１０４は、サービスの位置決め品質（ＬＱｏＳ）パラメータのような、指定されたパラメータのセットの範囲内で１又はそれより多くの移動局に関する所在地情報を取得する目的のためにワイアレス・ネットワーク１００と情報交換する構成要素（例えば、サービス制御機能）である。
【００１７】
ＬＣＳクライアント１０４は、その他の場所にも存在でき、１又はそれより多くの移動局をサービスできる。ＬＣＳクライアントは、ワイアレス・ネットワーク１００により提供される位置決めサービスに申し込む。種々のネットワーク又はサード・パーティの構成要素は、ＬＣＳクライアントとしてサービスする。申込みは、ＬＣＳクライアント１０４が移動局に関する所在地情報を取得すること及び移動局１０２のユーザに位置ベースのアプリケーションを提供することを可能にする。ＬＣＳクライアント１０４は、しかも、データをフォーマット化すること及び与えること、並びに移動局１０２のユーザ・インターフェースを管理することに対して責任がある。１つの実施形態では、ＬＣＳクライアントは、サービス申込みの時点で提供されるダウンロード可能なアプリケーションである可能性がある。
【００１８】
移動局１０２の所在地、同様に所在地推定値の精度、は、移動局において受信された信号及び受信された信号がそこから発信された送信機の位置に基づいて推定されることができる。推定された移動局１０２の所在地及び所在地推定値の精度は、しかも、移動局１０２により送信され、そして１又はそれより多くの基地局において受信された信号に、一部分は基づいている。そのようにして、移動局１０２において受信された信号又は移動局１０２により送信された信号に関する測定値の組合せは、移動局１０２の所在地及び関係する所在地精度を推定するために使用されることができる。
【００１９】
さらに、所在地ネットワーク１１８は、移動局１０２へ位置決めサービスを提供することを促進するために利用されることができる。位置決めサービス（ＬＣＳ）クライアント１０４を含んでいる移動局１０２は、移動体所在地センタ（ＭＰＣ）１２０Ｂにワイアレス・ネットワーク１００を経由して接続されることができる。ＭＰＣ１２０Ｂは、所在地ネットワーク１１８へのインターフェースの点としてサービスする。ＭＰＣ１２０Ｂは、送信機１１０Ｚに接続されることができ、移動局１０２へワイアレス・ネットワーク１００を経由して通信する。
【００２０】
所在地ネットワーク１１８は、ＭＰＣ１２０Ｂ、所在地決定構成要素（ＰＤＥ）１２２Ａと１２２Ｂ、位置決めサーバ１２６、及び認可データベース１３０を含むことができる。
【００２１】
ＭＰＣ１２０Ｂは、構成要素としてサービスし、移動局１０２に関する所在地情報を検索し、転送し、記憶し、そして制御する。例えば、ＭＰＣ１２０Ｂは、所在地決定において使用するために所在地決定構成要素（ＰＤＥ）１２２Ａ、１２２Ｂ、等を選択でき、そして要求しているＬＣＳクライアントへ所在地推定値及び所在地推定値精度情報を転送する、若しくは引き続く検索のために所在地推定値及び所在地推定値精度情報を記憶する。その上、ＭＰＣ１２０Ｂは、ワイアレス・ネットワーク１００の安全性及び／又は認可手順にしたがって移動局１０２に関する所在地情報へのアクセスを制限できる。
【００２２】
例えば、ＭＰＣ１２０Ｂにより選択されたＰＤＥ１２２は、移動局１０２の所在地推定値及び所在地推定値に関係付けられた所在地精度の決定を容易にできる。ＰＤＥ１２２は、ＭＰＣ１２０Ｂと一緒に置かれることができる、若しくはＭＰＣ１２０Ｂから物理的に分離されることができる。複数のＰＤＥ１２２は、１つのＭＰＣの同じ交信地域をサービスでき、そして複数のＰＤＥ１２２は、異なる所在地決定技術を利用しているＭＰＣの同じ交信地域をサービスできる。代わりの実施形態では、移動局１０２は、ＰＤＥを選択できる。
【００２３】
位置決めサーバ１２６は、移動局１０２による使用のために所在地に関係するネットワーク・アプリケーション１２８を管理できる。ネットワーク・アプリケーションのこれらの所在地に関係するタイプの例は、移動局の所在地及び経路が、ユーザが要求するビジネスのタイプ、レストラン、店、等をマップの上にプロットできるディジタル・マップのようなナビゲーション及び／又はマッピング機能；移動局の所在地に依存する特定の地域に関する気象情報；等を含む。
【００２４】
所在地ネットワーク１１８は、認可データベース１３０を含むことができる。認可データベース１３０は、個々のＬＣＳクライアント１０４及び移動局１０２に関係付けられた権利のタイプ、サービスの水準、等を記憶するために使用されることができる。認可データベース１３０は、要求しているＬＣＳクライアント１０４からの所在地ベースの情報を承認するため又は拒絶するために使用されることができる。さらに、所在地ネットワーク１１８は、ワイアレス・ネットワーク１００の位置決めサービスに関する安全性及び／又は認可手順を管理する責任があり得る。
【００２５】
移動局１０２の所在地の推定値及び所在地推定値の精度は、所在地決定装置（ＰＤＥ）、基地局、ワイアレス・アクセス・ポイント又はある種のその他の構成要素の援助を用いて若しくは援助なしに、移動局１０２、移動体所在地センタ（ＭＰＣ）１２０Ａと１２０Ｂにより導出されることができる。所在地推定を実行する構成要素は、測定値のセット（以降“実際の測定値ベクトル”と呼ばれる）を用いて提供され、そして送信機の位置（以降“送信機所在地推定値”と呼ばれる）を有する複数の方法に対して又はこれらの位置を決定するための手段に対して提供される。
【００２６】
送信機１１０Ａ−Ｄに関する送信機所在地推定値は、衛星によって送信された信号を処理することによって確かめられることができる。各衛星は、“オーマナック（Almanac：暦）”情報を送信する。これは、“コンステレーション”中の全ての衛星の粗い位置に関する情報を含む。各衛星は、さらに“イフェメレス（Ephemeris：天体暦）”情報を送信する。これは、地球上の追跡局により追跡され報告されるので、自分自身の軌道のより高い精度の版を含む。基地局に関する送信機所在地推定値は、移動局１０２に関する所在地推定を実行する構成要素に知らせることができる。例えば、移動局１０２は、基地局に関する送信機所在地推定値を捕捉するための手段又はデータベースを含むことができる。あるいは、これらの送信機所在地推定値は、ＰＤＥにより与えられることができる、若しくはＰＤＥは、基地局に関する送信機所在地推定値を有することができる。
【００２７】
ＳＰＳ衛星１１０Ａ−Ｄに関する実際の測定値ベクトルは、しかも、衛星により送信された信号を処理することによっても確かめられることができる。各衛星は、コード（例えば、ＧＰＳ衛星に関して、各衛星を一義的に認識する擬似ランダム・ゴールド・コードとして呼ばれる）を送信する。そのコードは、ローカルに発生されたこのコードのコピーと対応させられることができ、衛星信号の到着の時間（コード位相）を導出する。
【００２８】
送信機１１０は、移動局１０２の所在地を決定するための基準点として使用されることができる。既知の位置にある３個の送信機１１０への距離を精度良く測定することにより、移動局１０２の所在地は、“三角測量”により決定されることができる。各送信機への距離は、その送信機から移動局１０２へ信号が移動するのに要する時間を測定することにより決定されることができる。信号が送信機から送信される時刻が既知であるならば（例えば、信号に印を付けられる）、信号の移動時間は、移動局１０２の内部クロックに基づいて移動局１０２によって信号が受信される時刻を観測することにより決定されることができる。これは、移動局に関する所在地位置決定がどのようにして実現されるかの一例である。
【００２９】
その他の一例では、１個のローカル・エリア送信機（例えば、ブルートゥース、Ｗｉ−Ｆｉ、等）からの１つの信号の受信は、移動体に関する所在地位置を決定するために十分である可能性がある。種々の公知のアルゴリズムが、送信機所在地推定値及び／又は実際の測定値ベクトルの知識に基づいて移動局１０２の所在地を決定するために使用されることができる。さらに、種々の公知のアルゴリズムは、しかも、移動局１０２の所在地推定値の精度を決定するためにも利用されることができる。
【００３０】
図２は、移動局１０２の単純化したブロック図である。移動局１０２は、ＳＰＳ衛星（例えば、ＧＰＳ衛星）、ＷＡＡＳ（wide area augmentation system：広域拡大システム）衛星又はその他の所在地位置決め衛星、地上波の地上ベースの送信機（例えば、セルラ基地局、ワイアレス・アクセス・ポイント、ロラン（Loran）局、ディジタル又はアナログＴＶ塔、ワイアレス・ビーコン、等）、若しくは両者からの信号を処理する能力を持つように設計されることができる。移動局１０２は、アンテナ２１０，地上波受信機ユニット２１４，ＳＰＳ受信機ユニット２１２，処理ユニット２１６，メモリ・ユニット２１８，コントローラ２２０，ユーザ・インターフェース２２４、及びディスプレイ装置２３０を含むことができる。
【００３１】
アンテナ２１０は、送信機からの信号を受信でき、地上波及びＳＰＳ地上波受信機ユニット２１４及び２１２に受信した信号を接続する。他の１つの実施形態では、別々のアンテナが使用されることがあり得る。
【００３２】
地上波受信機ユニット２１４は、フロント−エンド回路系（例えば、無線周波数（ＲＦ）処理回路系及び／又はその他の受信回路系）を含み、その回路系は、基地局及びその他の地上波局から送信された信号を処理して、所在地決定及び所在地決定精度のために使用される情報を導出する。ＳＰＳ受信機ユニット２１２は、所在地決定及び所在地決定精度のために使用される情報を導出するためにＳＰＳ衛星から送信された信号を処理する、フロント−エンド回路系を含む。受信機ユニット２１２及び２１４からのそのような情報は、タイミング情報、信号品質情報、そこからの信号が受信される送信機の識別名及び位置、並びにおそらくその他の情報を含むことができる。代わりの実施形態では、フロント−エンド回路系は、複数の受信機ユニットによって共有されることができる。
【００３３】
受信機ユニット２１２及び２１４からの情報は、処理ユニット２１６に供給される。処理ユニット２１６は、所在地推定値及び所在地精度値を決定する。
【００３４】
移動局１０２は、種々のＭＰＣ及びＰＤＥと通信できる。ＭＰＣ及びＰＤＥは、移動局１０２に関する所在地推定値及び所在地精度値を決定することを手助けできる。この場合には、ＰＤＥ単独で、又は移動局１０２とともに、所在地推定値、所在地精度値、同様にその他の値を導出するための演算を実行できる。その例では、所在地推定値及び所在地精度値が所在地ネットワーク１１８において決定される場合に、この情報は、移動局１０２へ与えられることができる。しかも、ＰＤＥ又はその他の所在地ネットワーク構成要素は、移動局１０２により所在地推定値及び所在地精度値を決定するために使用されるある種の情報を提供できる。例えば、ＳＰＳ衛星及び／又は基地局の位置を表す情報、対応する測定値の精度、等である。
【００３５】
メモリ・ユニット２１８は、所在地推定値及び所在地精度値を決定するために必要な各種のデータを記憶する。例えば、メモリ・ユニット２１８は、オーマナック情報及び／又はイフェメレス情報を記憶でき、それは、複数のＳＰＳ衛星それぞれが、任意の所定の時刻においてそれぞれの軌道のどこの場所にいるかを指示する。衛星の位置は、オーマナック及びイフェメレスから、若しくは衛星から送信された信号からＳＰＳ受信機ユニット２１２によって取得された、あるいは地上波送信機から送信された信号から地上波受信機ユニット２１４によって取得されたその他の情報から、導出されることができる。メモリ・ユニット２１８は、しかも、前回決定された所在地推定値及び所在地精度値も記憶できる。
【００３６】
コントローラ２２０は、処理ユニット２１６からシグナリング及び／又は中間結果を受信でき、処理ユニットの動作を管理できる。例えば、コントローラ２２０は、処理されるべき特定のタイプの信号を選択できる。信号は、衛星、地上波、又は両者；使用されるべき固有のアルゴリズム；選択されたアルゴリズムに対して使用されるべきパラメータ値；等である可能性がある。
【００３７】
ＳＰＳ信号が処理される時に、処理ユニット２１６は、衛星信号を捕捉するためにＳＰＳ受信機ユニット３１２を定期的に指示できる。信号捕捉プロセスは、これから説明されるように、“暖機状態（warm state）”を持続するために、時間管理（非同期ワイアレス・システムにおいて）、及びＬＣＳサービスの品質（ＬＱｏＳ）決定及び表示のために、有用である可能性がある。最小の数の衛星が捕捉されている場合に、決定は、ＬＣＳサービスの品質（ＬＱｏＳ）に関して行われることができる。例えば、適切な衛星幾何学的要素（例えば、精度の水平方向低下（ＨＤＯＰ））により縮尺された衛星信号水準（これは、擬似飛程誤差に関係する）は、推定された所在地の所在地精度値の妥当な表示を提供するために使用されることができる。
【００３８】
所在地及び所在地精度推定値は、しかも、最小二乗法、加重最小二乗法、カルマン・フィルタ（Kalman filter）、最大可能性法又はその他のいずれかのアルゴリズムを介して算出されることができる。他の１つの例では、所在地及び所在地精度推定値は、速度推定値を有する所在地推定値及びその他の項のレート変化の外挿を介して決定されることができる。演算の時間に関係する、初めの所在地推定値の経過時間は、この演算のために必須である。所在地精度値は、類似の様式で算出されることができる。
【００３９】
衛星捕捉のために必要な補助情報は、衛星のオーマナック情報及び概略の位置から容易に導出されることができる。例えば、衛星の位置は、記憶されているオーマナック情報及び／又はイフェメレス情報に基づいて確かめられることができる。概略の位置は、移動局ベースの情報源を含む種々の情報源から導出されることができる。ハイブリッド技術に関して、上記の処理は、ワイアレス・ネットワークにおけるパイロット位相測定値のような地上波測定値をも含むはずである。
【００４０】
移動局１０２は、さらに、ユーザからの入力を受信するためのユーザ・インターフェース２２４（例えば、キーパッド、専用ボタン、タッチ画面、マイクロフォン、等）、及びユーザに情報を表示するためのディスプレイ装置２３０を含むことができる。１つの例では、ユーザ・インターフェース２２４は、ＬＣＳ  ＱｏＳを供給するために使用されることができる。ユーザ・インターフェース２２４は、ユーザが、測定値選択に影響を及ぼすための入力、サービスの位置決め品質のパラメータを設定するための入力、を提供することを可能にする。
【００４１】
ディスプレイ２３０及びユーザ・インターフェース２２４は、通知及び確認のために使用されることができ、それにより、ＬＣＳ  ＱｏＳパラメータは、ユーザに表示されることができ、そしてユーザは、表示されたＱｏＳが要望されたサービスのために許容されるか許容されないかを確認できる。例えば、所在地情報が古すぎ、そして最早適用できないのであれば、所在地推定値の経過時間の表示は、ユーザが評価することにより使用されることができる。それゆえ、ユーザは、算出された新たな所在地推定値を要求できる。１つの実施形態では、精度推定値は、所在地推定値とともに決定される。所在地推定値決定の時刻も、ＬＣＳ  ＱｏＳを決定するために使用されることができる。
【００４２】
図３は、移動局に関する位置決めサービスの品質の表示を提供するためのプロセス３００を説明するフロー図である。少なくとも１つの必要とされるサービスの位置決め品質（ＬＱｏＳ）パラメータが、捕捉される（ブロック３０２）。一般に、ＬＱｏＳパラメータは、移動局の所在地に関する要求に関係付けられたパラメータのセットに関係する。必要とされるＬＱｏＳパラメータは、最小所在地精度値（例えば、水平所在地精度値、垂直所在地精度値、等）、速度精度の値、時間精度の値、最大応答時間の値、最小又は最大情報更新レートの値、所在地情報値の最大経過時間、若しくはこれらのパラメータ又はその他のパラメータのいずれかの組合せを含むことができる。しかも、その他のＬＱｏＳパラメータは、安全性及びプライバシー設定のような、その他の属性に関係するものに使用されることができる。異なるサービスは、異なる必要とされる所在地精度の水準、応答時間、及び所在地情報の経過時間を要求できる。
【００４３】
移動局１０２の所在地推定値、及び所在地推定値に関係付けられた所在地精度値（誤差推定値とも呼ばれる）は、地上波法、衛星位置決め法、及び地上波法及び衛星法の混成のような、各種の方法を利用して、移動局自身により移動局１０２を利用して、若しくは所在地ネットワーク１１８の構成要素とともに決定されることができる。
【００４４】
最小ＬＱｏＳ所在地精度値は、必要とされるＬＱｏＳを満足させるために許容される所在地精度の最小値（例えば、最大所在地誤差推定値）に対応する。最大ＬＱｏＳ応答時間の値は、必要とされるＬＱｏＳを満足させるために許容される所在地精度値を取得する前に経過することが可能な最大の時間の長さに対応する。所在地情報値の最大ＬＱｏＳの経過時間は、必要とされるＬＱｏＳを満足させるために許容される所在地情報の最大経過時間に対応する。
【００４５】
必要とされるＬＱｏＳパラメータは、ユーザが規定する、移動局が規定する、用途特定である、又は遠隔構成要素が規定する可能性がある。ユーザが規定した必要とされるＬＱｏＳパラメータの場合には、移動局１０２のユーザは、エンドユーザに移動局１０２のユーザ・インターフェース２２４を介して利用できるようにされたＬＣＳサービス設定の品質をアクセスすることにより、必要とされるＬＱｏＳパラメータを制御できる。一例として、必要とされるＬＱｏＳ所在地精度が常に少なくとも２５メートルの範囲内であり、所在地推定値が２分より古くてはならないように、ユーザは、ユーザが規定する必要とされるＬＱｏＳパラメータを設定することができる。一方で、必要とされるＬＱｏＳパラメータは、移動局１０２自身によって規定されることができる。移動局１０２は、デフォルトの必要とされるＬＱｏＳパラメータで事前にプログラムされる又は準備されることができる。ユーザは、しかも現在のＬＱｏＳ設定をも修正できる。
【００４６】
必要とされるＬＱｏＳパラメータは、しかも用途特定であることができ、ここでは、アプリケーションは、移動局１０２及び／又は位置決めサーバ１２６上に常駐する。例えば、マッピング／ナビゲーションのアプリケーションは、位置決めサーバ１２６上に常駐されることができて、移動局１０２にディジタル・マップを提供する、これは移動局のディスプレイ装置２３０上に表示される。ディジタル・マップは、地図に表された地域に対して移動局の所在地及びユーザが要求した場所への経路を表示できる。例えば、アプリケーションは、少なくとも１５メートルのＬＱｏＳ所在地精度と１５秒の最大応答時間を必要とすることがある。必要とされるＬＱｏＳパラメータは、しかも、移動体所在地センタ１２０、所在地決定構成要素１２２、又は位置決めサーバ１２６のような、遠隔構成要素により規定されることができる。
【００４７】
他の１つの例では、ユーザは、ＢＲＥＷ又はＪａｖａ（登録商標）ダウンロード可能なアプリケーションのようなダウンロードされた場所に敏感なアプリケーションを用いて提供されることができる。
【００４８】
必要とされるＬＱｏＳパラメータは、しかも、経路に関係するアプリケーション、天気、マッピング、ボディ・ファインダ（body finder）、緊急サービス、沿道支援（roadside assistance）、等、のような、特定の場所に敏感なアプリケーションに関係付けられた情報に基づいて決定されることができる。
【００４９】
必要とされるＬＱｏＳパラメータが一旦捕捉されると、対応する実際のＬＱｏＳ値が決定される（ブロック３０４）。それから、実際のＬＱｏＳ値が必要とされるＬＱｏＳパラメータを満足するかどうかが決定される（ブロック３０５）。実際のＬＱｏＳ値が必要とされるＬＱｏＳを満足しないのであれば（判断ブロック３０６）、表示は、必要とされるＬＱｏＳの位置決めサービスが利用できないことを移動局のユーザに提供される（ブロック３０８）。
【００５０】
例えば、マッピング／ナビゲーション・アプリケーションが少なくとも１５メートルの最小ＬＱｏＳ所在地精度値を要求し、そして実際のＬＱｏＳ所在地精度が５０メートルの不確定性で決定されることができるだけであると仮定すると、表示は、必要とされるＬＱｏＳの位置決めサービスが利用できないことを移動局１０２のユーザに提供する。複数の必要とされるＬＱｏＳパラメータも、複数の対応する実際のＬＱｏＳ値とともに利用されることができる。例えば、１５秒の最大応答時間とともに少なくとも１５メートルの最小ＬＱｏＳ所在地精度値は、位置決めサービスに関する十分なＬＱｏＳを提供するために必要とされることがある。
【００５１】
その上、複数のＬＱｏＳパラメータが利用される場合の例では、優先度は、これらのパラメータに割り当てられることができて、他のパラメータに対して１つのパラメータの重要性を表示する。許容差も、割り当てられることができる。上記の例を続けると、高い優先度を有する少なくとも１５±３メートルの最小ＬＱｏＳ所在地精度は、中間の優先度を有する１５±５秒の最大応答時間とともに、位置決めサービスに関する十分なＬＱｏＳを提供するために必要とされることがある。種々の手段及び方法が必要とされるＬＱｏＳパラメータに対して許容差と優先度の値を割り当てるために使用されることができることは、歓迎されるはずである。
【００５２】
ある種の例では、必要とされるＬＱｏＳパラメータは、所在地推定値を提供するために採用されようとしている無線位置決め技術のタイプによっては取得されることができない。一例として、地上波セルＩＤベースの位置決めだけが利用可能であり、最小ＬＱｏＳ所在地精度パラメータ値が２５メートルに設定されるのであれば（これは地上波セルＩＤベースの位置決めでは取得できない）、自動的に、表示は、必要とされるＬＱｏＳの位置決めサービスが利用できないことを移動局のユーザに提供される。
【００５３】
ワイアレス・ネットワーク１００が全く位置決めサービスをサポートしないのであれば、表示は、位置決めサービスが利用できないことを移動局１０２のユーザに提供される。１つの実施形態では、この表示は、必要とされるＬＱｏＳの位置決めサービスが利用できないことの表示から異なることがある。
【００５４】
移動局が１つのネットワークから他の１つへ移動するので、表示は、現在のネットワークにおけるサービスの利用可能性を反映するように、自動的に更新されることができる。１つの例では、サービスの品質も、自動的に更新されることが可能である。更新手順（更新レート、要求又は変更の更新、等）は、サービスを用いて供給されることができる、若しくはユーザ、ＬＣＳクライアント、又は所在地ネットワーク要素により管理されることができる。
【００５５】
１つの例では、ネットワークによりサポートされたサービスは、関係する必要とされるサービスの品質を有する。他の１つの例では、サービス利用可能性状態の表示及びサービスの品質表示は、加入者情報、サービス記録、所在地ネットワークの１つの構成要素又は複数の構成要素、ユーザ・プロファイル又はユーザ入力を介して管理される。１つの特定の例では、行き先のネットワークにおいて利用可能なサービスだけが、自動的に更新され、移動局のユーザに表示される。ワイアレス・ネットワーク１００の移動体所在地センタ１２０は、位置決めサービス（認可、認証、等）及び必要とされるサービスの品質を管理するために使用されることがある。
【００５６】
視覚標識は、位置決めサービスが利用できないことを移動局のユーザに表示される。図４は、位置決めサービスが利用できないことを移動局のユーザに知らせるための視覚標識４１０の一例を説明する図である。この例では、“位置決めサービス利用不可能”の文字４１２を含む視覚標識４１０が、移動局１０２のディスプレイ装置２３０上に表示されて、位置決めサービスが利用できないことをユーザに知らせる。各種の文字、アイコン、等が、この機能を実行するために利用されることができる。オーディオ表示のような、他の種類の表示も、使用されることが可能である。
【００５７】
標識及び標識を表示するための論理は、サービスを用いて与えられるか移動局にダウンロードされるかのどちらかであり得る。１つの例では、標識及び標識を表示するための論理は、特定の位置決めアプリケーションにより提供されそして管理される。例えば、位置決めサービス・アプリケーションは、移動局のユーザへのサービスの状態及び品質を演算し、処理し、表示するための手段を含むことができる。
【００５８】
一方で、実際のＬＱｏＳ値が必要とされるＬＱｏＳパラメータ値を満足するのであれば（判断ブロック３０６）、実際の所在地精度値は決定されることができる（ブロック３１０）。位置決めサービスが利用可能であるかどうかを決定するために使用された（複数の）必要とされるＬＱｏＳパラメータだけが、最大応答時間、最新の所在地の値の最大の経過時間、又は他の１つのタイプの必要とされるＬＱｏＳパラメータ、若しくはこれらの組合せ（すなわち、所在地精度を含まない）であったのであれば、実際の所在地精度値は、これから推定される必要がある。しかしながら、位置決めサービスが利用可能であるはずであるかどうかを決定するために必要とされるＬＱｏＳパラメータの１つが、所在地精度であったのであれば、その値は、下記の処理において初めに使用されることができる。
【００５９】
推定された実際の所在地精度値に基づいて、所在地精度の相対強度測定値が計算される（ブロック３１２）。この所在地精度の相対強度測定値は、実際の所在地精度値対理想的な所在地精度値の比であることができ、例えば：“ゼロ”メートル（例えば、１００％精度）、５メートル（例えば、９０％精度）、等である。言い換えると、ゼロ・メートルの誤差は、理想的な精度を規定できる。比率は、しかも、必要とされる、与えられた又はユーザが与えた値、若しくはこれらの組合せに対して決定されることもできる。
【００６０】
この所在地精度の相対強度測定値に基づいて、所在地精度の相対強度測定値の表示は、移動局のユーザに与えられることができる（ブロック３１４）。このようにして、位置決めサービスの品質の表示が、ユーザに与えられる。さらに、位置決めサービスが利用可能であると一旦決定されると、所在地精度の相対強度測定値は、追加の推定された実際の所在地精度値に基づいて定期的に更新されることができる。
【００６１】
表示は、多くの異なる形式を取ることができる。例えば、グラフ表示のような、所在地精度の相対強度測定値の視覚標識は、移動局のディスプレイ装置上に表示されることができる。しかしながら、広範な種類の文字、アイコン、グラフ等が、この機能を実行するために利用されることができる。オーディオ表示のような、その他の種類の表示も、使用されることができる。
【００６２】
図５は、移動局に関する所在地精度の相対強度の縦棒グラフ表示を含む視覚標識の一例を説明する図である。視覚標識５２０は、縦棒グラフ表示５２２を含み、それは、移動局のディスプレイ装置２３０上に表示されることができる。縦棒グラフ５２２は、移動局の所在地推定値に関係する所在地精度の相対強度をユーザに示す。
【００６３】
１本の棒だけが表示されるのであれば、比較的低水準の所在地精度が移動局に利用可能であることを、ユーザは、知らされる。３本の棒が表示されるのであれば、ユーザは、相対的に平均水準以上の所在地精度が移動局に対して利用可能であることを知らされる。ところが、縦グラフの４本全ての棒が表示されるのであれば、最大水準の所在地精度が移動局に対して利用可能であることを、ユーザは知らされる。他の１つの例では、所在地精度の相対強度は、必要とされるＬＱｏＳ値と実際のＬＱｏＳ値との間の関係、例えば、実際の値が、必要とされる値を満足しないこと、満足すること又は超えていることである。相対強度測定値に関する許容差も、関係を決定するために使用されることができる。
【００６４】
図６は、移動局に関する所在地精度の相対強度のヒストグラム・グラフ表示を含む視覚標識の他の一例を説明する図である。視覚標識６３０は、移動局のディスプレイ装置２３０上に表示されることができるヒストグラム・グラフ表示６３２を含む。ヒストグラム・グラフ６３２は、移動局の所在地推定値に関係する所在地精度の相対強度をユーザに示す。１本の棒だけが表示されるのであれば、ユーザは、比較的低水準の所在地精度が移動局に利用可能であることを知らせる。４本の棒が表示されるのであれば、ユーザは、移動局に対して相対的に平均水準以上の所在地精度が移動局に対して利用可能であることを知らされる。ところが、ヒストグラム・グラフの６本全ての棒が表示されるのであれば、最大水準の所在地精度が移動局に対して利用可能であることを、ユーザは知らされる。
【００６５】
図７は、移動局に関する所在地精度の相対強度の円グラフ表示を含む視覚標識の他の一例を説明する図である。視覚標識７４０は、パーセント表示７４４を伴った円グラフ表示７４２を含み、これは、移動局のディスプレイ装置２３０上に表示されることができて、所在地精度の相対強度をユーザに示す。この例では、比較的高水準の所在地精度が約８０％の相対強度で移動局に対して利用可能であることを、ユーザは知らされる。
【００６６】
上記は、所在地精度の測定値のグラフ表示の特定の例であるが、広範な種々のその他のタイプのグラフ表示、文字、アイコン等が、この機能を実行するために表示されることができる。その他の種類の表示も、同様に使用されることができる。
【００６７】
一例として、所在地情報の経過時間は、最新の所在地又は以前に算出された所在地のセットからの秒数、分数、時間数、日数若しくは上記の値の組合せを示す整数又は整数のセットとして表示されることができる。値及び対応する表示は、選択された値の変化により、又は要求により定期的にリフレッシュされることができる。
【００６８】
サービス利用可能性及びサービスの品質の経歴は、しかも、時間の関数（１分後、５分後、１０分後、等）、場所（家庭、事務所、関心のある場所、今日の目的地、記憶された途中通過地点、等）その他のパラメータ、又はこれらの組合せとしてユーザに示されることもできる。この情報は、例えば、移動局のユーザによって使用されることができ、位置決めサービスのために以前に算出された所在地情報を選択する、若しくは所望のサービスの品質が供給されることが可能な場所へユーザを向ける。より高度なユーザに対して、使用される位置決め技術（例えば、ＧＰＳのような衛星法、ＡＦＬＴのような地上波法、ＥＯＴＤ，ＵＴＤＯＡ，セルＩＤ、又はこれらの組合せ）の表示も、提供されることができる。
【００６９】
処理ユニット２１６単独で及び／又は所在地決定ネットワーク１１８とともに制御下に置かれる図２の移動局１０２は、図３の処理３００の態様を実行できる。
【００７０】
図８は、位置決めサービス要求の間にワイアレス・ネットワークの種々の構成要素の間のデータ・フローの一例を説明する簡略化した図である。位置決めサービス（ＬＣＳ）クライアント１０４は、ワイアレス・ネットワーク１００を経由して所在地ネットワーク１１８と通信する。所在地ネットワーク１１８は、１つの具体例の手段では、ネットワーク・アプリケーション１２８、位置決めサーバ１２６、及び認可データベース１２４（図１参照）を含む。ＬＣＳクライアント１０４は、移動局１０２に含まれることができる。データ・フローの説明を簡略化するために、ＬＣＳクライアント１０４が位置決めサーバ１２６上に論理的に常駐しているマッピング／ナビゲーション・ネットワーク・アプリケーション１２８を使用することを望み、ＬＣＳクライアント１０４のユーザがそこに行きたいと望んでいる所望の関心のある場所に相対的な自身の位置を決定する、又はその場所への経路を決定する、と仮定する。例えば、ユーザは、最も近いＳＴＡＲＢＵＣＫＳコーヒー店への経路を見つけようと希望することがある。この情報は、ユーザへ移動局１０２のディスプレイ装置２３０上に表示されたディジタル・マップ上に表示される。
【００７１】
地図上の移動局の位置、地図上の最も近いＳＴＡＲＢＵＣＫＳコーヒー店の位置、及びそこへの最短の経路を表示することのＬＣＳクライアント１０４からの要求に基づいて、ネットワーク・アプリケーション１２８は、位置決めサーバ１２６に位置決めサービス要求８１２を行う。１つの例では、経路情報は、音声命令を介して提供されることが可能である。位置決めサーバ１２６は、所在地ネットワーク１１８の構成要素であり、演算機能を実行する又は補助し、そして所在地決定構成要素（ＰＤＥ）を論理的に含むことができる又はＰＤＥに接続されることができる。位置決めサーバ１２６が補助モードであるならば、移動局又はその他のある構成要素は、演算機能を実行できる。
【００７２】
位置決めサーバ１２６は、ＬＣＳクライアント１０４を認証するため、及びＬＣＳクライアント１０４からのＬＣＳ要求を認可するために、認可データベース１３０を用いて承認チェック８１４を最初に実行する。承認チェックは、ＬＣＳクライアント１０４がこのサービスを受信することを承認されているかどうかを決定するために実行される。認可データベース１３０は、ＬＣＳクライアント加入者のリスト及び各ＬＣＳクライアント加入者がどのサービスをどのサービスの品質で受信することを認可されているかを含むことができる。
【００７３】
ＬＣＳクライアント１０４がマッピング・サービスを受信することを認可されていると仮定すると、位置決めサーバ１２６は、ＬＣＳクライアント１０４へショート・メッセージ・サービス（ＳＭＳ）トリガ信号８１６をオプションとして送ることができ、所在地位置決定セッションが開始されようとしていて、どの通信プロトコルが使用されるのであるかについてＬＣＳクライアント１０４をさらに通知しようとしていること、を指示する。
【００７４】
送信制御プロトコル／インターネット・プロトコル（ＴＣＰ／ＩＰ）が利用されることができる。順番に、ＬＣＳクライアント１０４は、所在地ネットワーク１１８側で位置決めサーバ１２６とＩＰ接続８１８を設定する。
【００７５】
他の１つの例では、移動局は、既にワイアレス・ネットワークと接続されていることがあり、それゆえ、ステップ８１６と８１８は、必要とされないはずである。さらなる例では、移動局は、ワイアレス・ネットワーク及び所在地ネットワークと通信を開始でき、確立できる。通知／確認セッション８２２が、次に始められる。ＬＣＳクライアント１０４は、自身の位置を所在地ネットワーク１１８に提供する必要があるか、それとも所在地ネットワーク１１８がＬＣＳクライアント１０４の位置を決定するかのどちらかを通知される。所在地位置決定セッションが進行すべきか否かが、ＬＣＳクライアント１０４を用いてさらに確認される。必要とされるサービスの品質は、しかも、通知／確認ステップの期間に使用されることができる。例えば、ユーザは、ＬＱｏＳ中に含まれた精度の程度で自身の所在のタイムリーな情報を好んで提供することがある、若しくは提供しないことがある。
【００７６】
したがって、位置決めサーバ１２６は、ＬＣＳクライアント１０４が所在地位置決定セッションを進めることを望むかどうかを確認するためにＬＣＳクライアント１０４に通知要求８２２を行う。ＬＣＳクライアント１０４は、その後、ＬＣＳクライアント１０４が所在地位置決定セッションを続行することを望むか否かを指示している位置決めサーバ１２６への確認応答８２２で応答する。
【００７７】
ＬＣＳクライアント１０４が所在地位置決定セッションを続行することを望むと仮定すると、ＬＣＳクライアント１０４の所在地は、ＬＣＳクライアント１０４によって必要とされるネットワーク・アプリケーション１２８のサービスに適応するために十分なサービスの位置決め品質（ＬＱｏＳ）があるか否かと同様に、決定される。位置決め要求８２４は、必要とされるサービスの品質を有する所在地情報を要求する。移動局は、位置決め応答８２６において必要とされる情報を提供する。位置決め応答８３０は、ネットワーク・アプリケーション１２８にさらに転送される。
【００７８】
ＬＣＳクライアント１０４の所在地推定値及び所在地推定値に関係付けられた所在地精度は、地上波法、衛星法、及び地上波法と衛星法との混成、のような種々の方法を利用して、移動局を自身によって利用して、若しくはＰＤＥのような所在地ネットワーク１１８の構成要素に関連して決定されることができる。さらに、（複数の）必要とされるサービスの品質（ＬＱｏＳ）パラメータは、前に議論したように、捕捉されることができる。
【００７９】
マッピングの例では、最小のＬＱｏＳ所在地精度値は、マッピング・ネットワーク・アプリケーション１２８によって必要とされることがある。最小の必要とされるＬＱｏＳ所在地精度値に基づいて、実際のＬＱｏＳ所在地精度値が必要とされる最小のＬＱｏＳ所在地精度値を満足するかどうかが決定される。実際のＬＱｏＳ所在地精度値が最小の必要とされるＬＱｏＳ所在地精度値を満足しないのであれば、表示は、位置決めサービスが利用できないことをＬＣＳクライアント１０４のユーザに提供される。
【００８０】
マッピング・ネットワーク・アプリケーション１２８が２５メートルの最小ＬＱｏＳ所在地精度値を要求するが、ＬＣＳクライアント１０４が２５０メートルの所在地精度しか持たない位置決定に対して利用可能な地上波位置決定技術しか所有しないのであれば、最も近いＳＴＡＲＢＵＣＫＳに対するＬＣＳクライアント１０４の所在地、及び最も近いＳＴＡＲＢＵＣＫＳコーヒー店への経路の決定に関する要求は、マッピング・ネットワーク・アプリケーション１２８によって拒絶されるはずである。
【００８１】
ＬＣＳクライアント１０４が移動局１０２に論理的に関係付けられている場合の例では、表示は、必要とされるサービスの品質の位置決めサービスが利用できないことを、ＬＣＳクライアント１０４を利用して移動局１０２のユーザに提供されることがある。“位置決めサービス利用不可”又は“サービスの品質利用不可”の文字を含む視覚標識は、移動局のディスプレイ装置２３０上に表示されることができ、位置決めサービスが利用できないことをユーザに知らせる（例えば、図４）。
【００８２】
一方で、マッピング・ネットワーク・アプリケーション１２８が５０メートルの最小ＬＱｏＳ所在地精度値を要求し、ＬＣＳクライアント１０４が２０メートルの推定精度を有するＧＰＳベースの位置決定技術へのアクセスを有するのであれば、最も近いＳＴＡＲＢＵＣＫＳに対するＬＣＳクライアント１０４の所在地、及び最も近いＳＴＡＲＢＵＣＫＳコーヒー店への経路の決定に関する要求は、マッピング・ネットワーク・アプリケーション１２８によって受理されるはずである。ＬＣＳクライアント１０４の所在地、最も近いＳＴＡＲＢＵＣＫＳ、及びそこへの経路を示している地図は、ＬＣＳクライアント１０４に送られるはずである。したがって、ディジタル・マップは、この地図をユーザに示している関係する移動局１０２のディスプレイ装置２３０上に示されることができる。
【００８３】
最小ＬＱｏＳ所在地精度、又はあるその他の必要とされるサービスの品質は、数値パラメータにより設定される必要がなく、利用されようとしているアプリケーションのタイプに基づいて選択されることができる。アプリケーションは、市街地図、公園地図、ある地域に関するローカル天気地図表示、最も近いＳＴＡＲＢＵＣＫＳコーヒー店、等、を表示するものを利用できる。一例として、ＬＣＳクライアント１０４が市街地図を表示するネットワーク・アプリケーション１２８を要求し、そしてＬＣＳクライアント１０４の所在地が特定の市の中に位置を決められるように十分な精度で決定されることができるのであれば、市街地図は、ユーザへの表示のためにネットワーク・アプリケーション１２８によってＬＣＳクライアント１０４に提供されることができる。ＬＣＳクライアント１０４が特定の天気地域の中にあるように十分な精度で自身の所在地を決定されることができるのであれば、その地域に関する現在の又は予想天気地図は、ユーザへの表示のためにネットワーク・アプリケーション１２８によってＬＣＳクライアント１０４に提供されることができる。
【００８４】
他の１つの例では、ＬＣＳクライアント１０４に関係付けられた移動局１０２のユーザは、例え実際のサービスの品質が必要とされるサービスの品質を満足しなくても、サービスを要求できる。アプリケーションが位置決めサーバ１２６上に常駐しているとして議論されてきているけれども、アプリケーションは、しかも、若しくはその代わりに、ＬＣＳクライアント１０４又は移動局１０２自身上にも常駐することができる。
【００８５】
移動局１０２の構成要素は、ディジタル・シグナル・プロセッサ（ＤＳＰ）、用途特定集積回路（ＡＳＩＣ）、プロセッサ、マイクロプロセッサ、コントローラ、マイクロコントローラ、フィールド・プログラマブル・ゲート・アレイ（ＦＰＧＡ）、プログラム可能な論理素子、その他の電子ユニット、又はここに説明した機能を実行するために設計されたこれらの任意の組合せ、として実行されることができる。
【００８６】
種々の機能的な構成要素が特定の実施形態において説明されてきているが、構成要素がハードウェア、ソフトウェア、ファームウェア、ミドルウェア又はこれらの組合せで実行されることができ、そしてシステム、サブシステム、構成要素、又はそれらのサブ構成要素において利用されることができることは、評価されるはずである。
【００８７】
ソフトウェア又はファームウェアにおいて実行される場合に、命令又はコード・セグメントは、必要な課題を実行するために利用されることができる。命令又はコード・セグメントは、機械読み取り可能な媒体（例えば、プロセッサ読み取り可能な媒体、又はコンピュータ・プログラム製品）に記憶されることができる、若しくは送信媒体又は通信リンクを介して、搬送波に組み込まれたコンピュータ・データ信号又はキャリアにより変調された信号によって送信されることができる。機械読み取り可能な媒体は、機械（例えば、プロセッサ、コンピュータ、等）により読み取り可能であり実行可能な形式で情報を記憶できる又は輸送できる任意の媒体を含むことができる。機械読み取り可能な媒体の例は、電子回路、半導体記憶装置、ＲＯＭ、フラッシュ・メモリ、消去書き込み可能なＲＯＭ（ＥＰＲＯＭ）、フロッピー（登録商標）・ディスク、コンパクト・ディスクＣＤ−ＲＯＭ、光ディスク、ハード・ディスク、光ファイバ媒体、高周波（ＲＦ）リンク、等を含む。コンピュータ・データ信号は、電子ネットワーク・チャネル、光ファイバ、空気、電磁気、ＲＦリンク、バー・コード、等を介して伝播できる任意の信号を含むことができる。命令又はコード・セグメントは、インターネット、イントラネット、等のようなネットワークを介してダウンロードされることができる。
【００８８】
複数の例が、ＧＰＳ衛星を参照して説明されてきているが、教示は、スードライト（pseudolite）又は衛星とスードライトとの組合せを利用する所在地決定システムに同等に適用可能である。スードライトは、一般にＧＰＳ時間に同期されたＬ−バンド・キャリア信号上に変調された（ＧＰＳ信号に類似の）ＰＮコードを同報通信する地上ベースの送信機である。各送信機は、遠隔受信機による認識を可能にするように固有のＰＮコードを割り当てられることができる。軌道上の衛星からのＧＰＳ信号が、利用不可能である恐れがある状況において、例えば、トンネル、鉱山、建物又はその他の囲まれた地域のような状況において、スードライトは有用である。用語“衛星”は、ここで使用されたように、スードライト又はスードライトと同等のものを含むように意図されており、用語ＧＰＳ信号は、ここで使用されたように、スードライト又はスードライトと同等のものからのＧＰＳ状の信号を含むように意図されている。
【００８９】
これまでの議論では、例は、米国全地球位置決定衛星（ＧＰＳ）システムの応用を参照して説明されてきている。しかしながら、これらの方法が、類似の衛星位置決定システム、及び、特に、ロシアのグロナス（Glonass）及びヨーロッパのガリレオ・システムにおいて同等に適用可能であることは、明白である。グロナス・システムは、異なる衛星からの放出が、異なる擬似ランダム・コードを利用することよりはむしろ、わずかに異なるキャリア周波数を利用することにより互いに区別することにおいて、ＧＰＳシステムとは本質的に異なる。ここで使用される用語“ＧＰＳ”は、ロシアのグロナス・システムを含む、そのような代わりの衛星位置決定システム（ＳＰＳ）を含む。
【００９０】
さらに、例は、例示の実施形態を参照して説明されてきているが、これらの説明は、限定すると言う感覚で解釈されることを意図しているのではない。例示の実施形態の種々の変形は、その他の実施形態と同様に、当業者にとって明白であるはずである。
【図面の簡単な説明】
【００９１】
【図１】図１は、ワイアレス通信ネットワークを説明するブロック図である。
【図２】図２は、移動局の簡略化したブロック図である。
【図３】図３は、移動局に関する位置決めサービスの品質の表示を提供するためのプロセスを説明するフロー図である。
【図４】図４は、位置決めサービスが利用できないことを移動局のユーザに知らせるための視覚標識を説明するための図である。
【図５】図５は、移動局に関する所在地精度の相対強度の縦棒グラフ表示を含む視覚標識の一例を説明する図である。
【図６】図６は、移動局に関する所在地精度の相対強度のヒストグラム・グラフ表示を含む視覚標識の一例を説明する図である。
【図７】図７は、移動局に関する所在地精度の相対強度の円グラフ表示を含む視覚標識の一例を説明する図である。
【図８】図８は、位置決めサービス要求の期間にワイアレス・ネットワークの種々の構成要素の間のデータ・フローの一例を説明する図である。
【符号の説明】
【００９２】
１００…ワイアレス通信ネットワーク，１１０…送信機，１１８…所在地ネットワーク，２１０…アンテナ，４１０，５２９，６３０，７４０…視覚標識。
【図１】
0004532466.tif 000002
【図２】
0004532466.tif 000003
【図３】
0004532466.tif 000004
【図４】
0004532466.tif 000005
【図５】
0004532466.tif 000006
【図６】
0004532466.tif 000007
【図７】
0004532466.tif 000008
【図８】
0004532466.tif 000009